(57)【要約】【課題】小型水上乗物を舵、駆動力、安定器を一体化して小型することにより、新しい操縦方法で安定良く水上を推進できることを目的としている。また、組み立て方式を採用し、持ち運びに便利である。【解決手段】本発明は、水上（海上）に浮く船型ボード（１）とその中央に駆動力付の舵（２）が垂直に組み込まれている、その中央上部には座席（３）が取り付けられている。駆動力付の舵（２）は駆動力と舵が一体なボードで形成され、小型化されている。更に、駆動部分（４）が最下部にあり、水上での安定器の役目を持つ。この船型ボード（１）と駆動力付の舵（２）は着脱可能で、持ち運びにすぐれ便利である。舵の操縦は駆動力付小型水上ボードに乗る乗員が、駆動力付小型水上ボード全体を身体及び体重をかけて傾かせる、結果として駆動力付の舵（２）が傾き、駆動力の左右に推進力の違いが発生して小型水上ボードの方向が変わることを目的とした、操縦簡単な駆動力付小型水上乗物ボードである。【選択図】    図１
2004352211.tif 000002
【特許請求の範囲】
【請求項１】
駆動力付小型水上乗物ボードは水上（海上）に浮く船型ボード（１）とその中央に駆動力付の舵（２）が垂直に組み込まれている、その中央上部には座席（３）が取り付けられている。この駆動力付の舵（２）は三角形および四角形の形をしていて、下先端に駆動機（４）が設けられている。この駆動機（４）は、駆動力付小型水上乗物ボードの重心を乗物ボード中央の水面下に重心を取る為の安定器となる。この駆動機（４）は電動モーター方式であり、推進するためのスクリュー（７）が配置され、水吸口（８）が設けられ、吸い取った水を噴射口（２２）から噴射する。燃料（５）はバッテリーまたは燃料電池を使用し、駆動力付の舵（２）の内部に設けられている。
この船型ボード（１）と駆動力付の舵（２）は小型で着脱可能なため持ち運びしやすく、組み立ても簡単である。
【請求項２】
駆動力付の舵（２）は安定器の役目を持つため、水上（海上）での安定性が良い。
【請求項３】
舵の操縦は駆動力付小型水上ボードに乗る乗員が、駆動力付小型水上ボード全体を身体及び体重をかけて傾かせる、結果として駆動力付の舵（２）が傾き、駆動力の左右に推進力の違いが発生し、小型水上ボードの方向が変わる。駆動力付小型水上乗物ボードは操縦が簡単である。
【発明の詳細な説明】
【０００１】
【発明の属する技術分野】
この発明は、水上（海上）浮揚ボードに駆動力付の舵を設け、乗員が操縦できる、駆動力付小型水上乗物ボードである。
【０００２】
【従来の技術】従来、小型船に駆動力と舵を個別に取り付けた、水上ボートがあった。小型浮揚物にウォータジェット方式の推進器を設け、ハンドルにより舵を取る水上乗物もあった。また、小型船に帆（セイル）を設けたヨットもあった。船型ボードに帆（セイル）を設けたウィンドサーフィンボードもあった。
【０００３】
【発明が解決しようとする課題】
これは次のような欠点があった。
（ア）駆動力のある小型船および小型水上乗物は、乗員の乗る場所、駆動機器の置き場、舵の機器、燃料庫の場所により小型化が限られてしまい、本体の陸上運搬には不便。
（イ）小型ヨット、ウィンドサーフィンボードは小型だが、駆動力が風のため、風がないとき不便である。
また、風を捉えるための操作が難しい。
（ウ）駆動力のない小型ボートは重心が水面上となり安定性が良くない。
【０００４】
【課題を解決するための手段】
駆動力付小型水上乗物ボードは水上（海上）に浮く船型ボード（１）とその中央に駆動力付の舵（２）が垂直に組み込まれている、その中央上部には座席（３）が取り付けられている。
この駆動力付の舵（２）は三角形および四角形の形をしていて、下先端に駆動機（４）が設けられている。この駆動機（４）は、駆動力付小型水上乗物ボードの重心を乗物ボード中央の水面下に重心を取る為の安定器となる。この駆動機（４）は電動モーター方式であり、推進するためのスクリュー（７）が配置され、水吸口（８）が設けられ、吸い取った水を噴射口（２２）から噴射する。燃料（５）はバッテリーまたは燃料電池を使用し、駆動力付の舵（２）の内部に設けられている。
【０００５】
本発明は、駆動力と舵が一体なボードで形成され、小型化されている。更に、この船型ボード（１）と駆動力付の舵（２）は着脱可能で、持ち運びにすぐれ便利である。
【０００６】
駆動力付の舵（２）は、舵、駆動力、安定器の役目を持つため、小型であり、水上（海上）での安定性にもすぐれている。
【０００７】
舵の操縦は駆動力付小型水上ボードに乗る乗員が、駆動力付小型水上ボード全体を身体及び体重をかけて傾かせる、結果として駆動力付の舵（２）が傾き、駆動力の左右に推進力の違いが発生して小型水上ボードの方向が変わる、操縦簡単な駆動力付小型水上乗物ボードである。
【０００８】
【発明実施の形態】
以下本発明の形態についてのべる
【０００９】
水上（海上）に浮く船型ボード（１）とその中央に駆動力付の舵（２）が垂直に組み込まれている、その中央上部には座席（３）が取り付けられている。
乗員は駆動力付の舵（２）上部の座席に座り、駆動力付の舵（２）を足で挟み込み、身体及び体重をかけて傾かせて、船型ボード左右の推進力の違いにより舵の役目とする。
【００１０】
水上（海上）に浮く船型ボード（１）及び駆動力付の舵（２）の材質は、強化プラスチック（１９）を使用して、内部は浮力材（１３）のウレタン及び発砲スチロールを使用している。
座席（３）は強化プラスチックに合成樹脂で形成された防水クッション材（９）を貼り付け、座席下部には止め具器上（１６）を設けている。止め具上（１６）は、船型ボード（１）及び駆動力付の舵（２）が外れないように止め具器下（１７）に止めねじオス（２３）と止めねじメス（２４）で固定する。
止めねじは止めねじ受け（１５）で座席に取り付けられている。
【００１１】
この駆動力付の舵（２）は三角形および四角形の形をしていて、下先端に駆動機（４）が設けられている。この駆動機（４）は、駆動力付小型水上乗物ボードの重心を乗物ボード中央の水面下に重心を取る為の安定器となる。この駆動機（４）は電動モーター方式であり、推進するためのスクリュー（７）が配置され、水吸口（８）が設けられ、吸い取った水を噴射口（２２）から噴射する。燃料（５）はバッテリーまたは燃料電池を使用し、駆動力付の舵（２）の内部に設けられている。
【００１２】
駆動機（４）の電動モーターはコントロールボックス（１０）にて制御を行い、電源のＯＮ／ＯＦＦと強弱の調整を行う。
コントロールボックス（１０）は簡単なスイッチと電圧調整器より形成されている。
【００１３】
船型ボード（１）には乗員時に掴む、掴み棒（１１）が設けられている。また駆動力付の舵（２）には乗員時に足に乗せる足置き（１２）が設けられている。
【００１４】
駆動力付の舵（２）の駆動機は防水処理がされている。電源モーター（６）とスクリュー（７）をつなぐシャフト（１４）の間に防水油（２０）で密閉された空間があり防水軸受け（２１）を設け、電源モーター部には水が入らない。また、電源モーターの熱は熱冷却機（１８）を設け、冷却している。
燃料（５）のバッテリーまたは燃料電池は駆動力付の舵（２）から着脱できるように構成されている。
【００１５】
【発明の効果】
本発明は、駆動力と舵が一体なボードで形成され、小型化されている。更に、この船型ボード（１）と駆動力付の舵（２）は着脱可能で、持ち運びにすぐれ便利である。
駆動力付の舵（２）は、舵、駆動力、安定器の役目を一体化したことにより、小型であり、水上（海上）での安定性にもすぐれている。
舵の操縦は駆動力付小型水上ボードに乗る乗員が、駆動力付小型水上ボード全体を身体及び体重をかけて傾かせる、結果として駆動力付の舵（２）が傾き、駆動力の左右に推進力の違いが発生して小型水上ボードの方向が変わる、操縦簡単な駆動力付小型水上乗物ボードである。
【図面の簡単な説明】
【図１】本発明を分解して側面図にした。
【図２】本発明の乗員状態時を側面図にした。
【図３】本発明の乗員状態時を上面図にした。
【図４】本発明を分解して横断面図にした。
【図５】本発明のボード表面材質と内部材質を部分断面図にした。
【図６】本発明の駆動機を部分横断面図にした。
【図７】本発明の駆動力付の舵と座席を部分横断面図にした。
【符号の説明】
（１）船型ボード
（２）駆動力付の舵
（３）座席
（４）駆動機
（５）燃料（バッテリーまたは燃料電池）
（６）電動モーター
（７）スクリュー
（８）水吸口
（９）防水クッション材
（１０）コントロールボックス
（１１）掴み棒
（１２）足置き
（１３）浮力材
（１４）シャフト
（１５）止めねじ受け
（１６）留め具器上
（１７）留め具器下
（１８）熱冷却機
（１９）強化プラスチック
（２０）防水油
（２１）防水軸受け
（２２）噴射口
（２３）止めねじオス
（２４）止めねじメス
【図１】
2004352211.tif 000003
【図２】
2004352211.tif 000004
【図３】
2004352211.tif 000005
【図４】
2004352211.tif 000006
【図５】
2004352211.tif 000007
【図６】
2004352211.tif 000008
【図７】
2004352211.tif 000009